(57)【特許請求の範囲】
【請求項１】
光ディスクの記録面上に光を集光させる対物レンズを支持するレンズ支持体と、このレンズ支持体に装着され、フォーカスコイルおよびトラッキングコイルを支持するコイル支持体と、前記フォーカスコイルおよび前記トラッキングコイルに電気的に接続され、前記レンズ支持体および前記コイル支持体を移動可能に支持する支持ワイヤと、この支持ワイヤを支持する固定部材とを備えた光ピックアップであって、
前記レンズ支持体は、前記対物レンズが取付けられるレンズ支持部と、このレンズ支持部から二また状に分岐してほぼ平行に突出した可撓性の脚部とで構成され、この脚部には第１の係合部が設けてあり、
この第１の係合部は、前記脚部の根元部にこの脚部の内側面に対向して形成された一対の当接部と、この当接部と前記脚部の先端部との間に配設され、前記脚部の前記内側面に開口し且つ脚部上面にも開口して断面Ｌ字状をなす一対の凹溝と、前記脚部の下面にＬ字状に形成された一対の切欠き部とで構成され、
前記コイル支持体は、前記フォーカスコイルを巻回するためのフォーカスコイル用ボビンと、前記トラッキングコイルを巻回するためのトラッキングコイル用ボビンとで構成され、前記フォーカスコイル用ボビンの平行な二つの鍔の外周縁には前記第１の係合部に係合する第２の係合部が形成されており、
この第２の係合部は、前記フォーカスコイル用ボビンの一方の鍔の外周縁および角部にそれぞれ突出して形成された各一対の第１の係止部および第２の係止部と、他方の鍔の外周縁から突出して形成された一対の第３の係止部とで構成され、
前記コイル支持体を前記レンズ支持体に装着する際、前記鍔の外周縁の一部が前記第１の係合部の前記当接部に当接し、前記第１の係止部および前記第２の係止部が前記第１の係合部の前記凹溝に嵌入し、前記第３の係止部が前記第１の係合部の前記切欠き部に係止されるようにし、
前記レンズ支持体に形成された前記第１の係合部に、前記コイル支持体に形成された前記第２の係合部を係合させることにより、前記レンズ支持体に対して前記コイル支持体を、前記対物レンズの光軸と平行なＸ方向と、このＸ方向に直交し且つ前記コイル支持体を前記レンズ支持体に装着する方向と平行なＹ方向と、このＸ，Ｙ方向に直交するＺ方向とに関してそれぞれ精度良く位置決めするようにしたことを特徴とする光ピックアップ。
【請求項２】
前記コイル支持体は、前記一対の脚部に挟持され、且つ前記第１の係止部と前記第２の係止部が前記凹溝に係合し、前記一方の鍔の側面の一部と前記他方の鍔の側面が前記脚部の前記内側面に当接することにより、前記レンズ支持体に対して前記Ｚ方向に関して位置決めされ、
前記一方の鍔および前記他方の鍔の前記外周縁の一部が前記当接部に当接し、前記第１の係止部と前記第２の係止部が前記凹溝に嵌入して前記第２の係止部が前記凹溝に形成された段部に係合することにより、前記コイル支持体は前記レンズ支持体に対して前記Ｙ方向に関して位置決めされ、
前記第１の係止部と前記第２の係止部が前記凹溝に嵌入し、前記第２の係止部と前記第３の係止部との間に前記脚部が嵌合して挟持されることにより、前記コイル支持体は前記レンズ支持体に対して前記Ｘ方向に関して位置決めされることを特徴とする請求項１に記載の光ピックアップ。
【発明の詳細な説明】
【０００１】
【発明の属する技術分野】
本発明は、光ディスクの記録面上に対物レンズで光を集光させて情報の記録，再生などを行う光ピックアップに関する。
【０００２】
【従来の技術】
光ピックアップは、光ディスク再生装置および光ディスク記録再生装置など光ディスク装置に使用される。光ピックアップは、記録媒体である光ディスクの記録面上にレーザー光など光を集光させて、情報の記録，再生などを行うための装置である。
光ピックアップには、光を集光させるための対物レンズと、光ディスクに対する対物レンズの位置を微調整するためのフォーカスコイルおよびトラッキングコイルとが設けられている。
フォーカスコイルおよびトラッキングコイルは、対物レンズを、フォーカス方向（対物レンズの光軸と平行な方向）および光ディスクのトラック方向にそれぞれ移動させることができる。これにより、対物レンズの位置が微調整される。
従来の光ピックアップでは、所定の形状に形成されたレンズ支持体で対物レンズを支持し、レンズ支持体にコイル巻回部を形成する場合が多かった。コイル巻回部には、フォーカスコイルおよびトラッキングコイルが巻回される。
【０００３】
【発明が解決しようとする課題】
このような構成の光ピックアップでは、対物レンズを支持しているレンズ支持体に、直接、フォーカスコイルおよびトラッキングコイルを巻回しなければならない。ところが、レンズ支持体は一般的に複雑な形状で、コイル巻回部の周囲のスペースも狭くて制約があるので、コイルを巻回する作業が困難であった。
そこで、フォーカスコイルおよびトラッキングコイルを予め巻回したコイル部を、レンズ支持体とは別の部品とする場合があった。そして、コイル部をレンズ支持体に接着剤等で固定して、光ピックアップが組み立てられていた。
しかしながら、コイル部をレンズ支持体に固定する作業が煩雑で作業工数がかかっていた。また、フォーカスコイルとトラッキングコイルをレンズ支持体に対して高精度に位置決めすることが困難であった。前記固定作業の際に、レンズ支持体に対するコイル部の取付け方向を間違えたり、コイル部の取付け位置がずれる可能性もあった。
【０００４】
本発明は、このような課題を解決するためになされたもので、フォーカスコイルとトラッキングコイルをＸ，Ｙ，Ｚ方向に関して高精度に位置決めすることにより、光ピックアップの特性を安定化させることができ、また、コイル支持体を取付け方向を間違うことなくレンズ支持体に正確に装着するようにして、光ピックアップの組立作業時のミスを防止することができる光ピックアップを提供することを目的とする。
【０００５】
【課題を解決するための手段】
上述の目的を達成するため、本発明にかかる光ピックアップは、光ディスクの記録面上に光を集光させる対物レンズを支持するレンズ支持体と、このレンズ支持体に装着され、フォーカスコイルおよびトラッキングコイルを支持するコイル支持体と、前記フォーカスコイルおよび前記トラッキングコイルに電気的に接続され、前記レンズ支持体および前記コイル支持体を移動可能に支持する支持ワイヤと、この支持ワイヤを支持する固定部材とを備えている。
そして、前記レンズ支持体は、前記対物レンズが取付けられるレンズ支持部と、このレンズ支持部から二また状に分岐してほぼ平行に突出した可撓性の脚部とで構成され、この脚部には第１の係合部が設けてある。
この第１の係合部は、前記脚部の根元部にこの脚部の内側面に対向して形成された一対の当接部と、この当接部と前記脚部の先端部との間に配設され、前記脚部の前記内側面に開口し且つ脚部上面にも開口して断面Ｌ字状をなす一対の凹溝と、前記脚部の下面にＬ字状に形成された一対の切欠き部とで構成されている。
前記コイル支持体は、前記フォーカスコイルを巻回するためのフォーカスコイル用ボビンと、前記トラッキングコイルを巻回するためのトラッキングコイル用ボビンとで構成され、前記フォーカスコイル用ボビンの平行な二つの鍔の外周縁には前記第１の係合部に係合する第２の係合部が形成されている。
この第２の係合部は、前記フォーカスコイル用ボビンの一方の鍔の外周縁および角部にそれぞれ突出して形成された各一対の第１の係止部および第２の係止部と、他方の鍔の外周縁から突出して形成された一対の第３の係止部とで構成されている。
前記コイル支持体を前記レンズ支持体に装着する際、前記鍔の外周縁の一部が前記第１の係合部の前記当接部に当接し、前記第１の係止部および前記第２の係止部が前記第１の係合部の前記凹溝に嵌入し、前記第３の係止部が前記第１の係合部の前記切欠き部に係止されるようにし、前記レンズ支持体に形成された前記第１の係合部に、前記コイル支持体に形成された前記第２の係合部を係合させることにより、前記レンズ支持体に対して前記コイル支持体を、前記対物レンズの光軸と平行なＸ方向と、このＸ方向に直交し且つ前記コイル支持体を前記レンズ支持体に装着する方向と平行なＹ方向と、このＸ，Ｙ方向に直交するＺ方向とに関してそれぞれ精度良く位置決めするようにしている。
好ましくは、前記コイル支持体は、前記一対の脚部に挟持され、且つ前記第１の係止部と前記第２の係止部が前記凹溝に係合し、前記一方の鍔の側面の一部と前記他方の鍔の側面が前記脚部の前記内側面に当接することにより、前記レンズ支持体に対して前記Ｚ方向に関して位置決めされ、前記一方の鍔および前記他方の鍔の前記外周縁の一部が前記当接部に当接し、前記第１の係止部と前記第２の係止部が前記凹溝に嵌入して前記第２の係止部が前記凹溝に形成された段部に係合することにより、前記コイル支持体は前記レンズ支持体に対して前記Ｙ方向に関して位置決めされ、前記第１の係止部と前記第２の係止部が前記凹溝に嵌入し、前記第２の係止部と前記第３の係止部との間に前記脚部が嵌合して挟持されることにより、前記コイル支持体は前記レンズ支持体に対して前記Ｘ方向に関して位置決めされるようになっている。
【０００６】
【発明の実施の形態】
以下、本発明にかかる実施の形態の一例を、図１ないし図５を参照して説明する。
図１および図２は、それぞれ本発明の光ピックアップの平面図および左側面図、図３および図４は、それぞれ前記光ピックアップにおけるレンズ支持体とコイル支持体の構成を示す斜視図および平面図、図５は図４のＶ−Ｖ線断面図である。
【０００７】
図１および図２に示すように、光ディスク装置に使用される光ピックアップ１は、レンズ支持体２とコイル支持体３を備えている。コイル支持体３は、レンズ支持体２に装着されるようになっている。
光ピックアップ１の全体は、図示しない移動機構により、記録媒体である光ディスク（たとえば、ＣＤ，ＣＤ−ＲＯＭ，ＭＤ，ＭＯ，ＤＶＤ）４の半径方向に制御されつつ移動可能になっている。
レンズ支持体２は、可撓性を有する材料により一体的に形成されている。レンズ支持体２に支持された対物レンズ６は、光ディスク４の記録面５上にレーザー光Ｌなど光を集光させる。
コイル支持体３は、樹脂材料またはその他の絶縁材料により一体的に形成されている。コイル支持体３は、フォーカスコイル７およびトラッキングコイル８を支持している。光ピックアップ１には、永久磁石（図示せず）が、フォーカスコイル７およびトラッキングコイル８に対応して所定位置に設けられている。
なお、対物レンズ６の光軸Ｄと平行な方向をＸ方向とする。Ｘ方向に直交し、かつコイル支持体３をレンズ支持体２に装着する方向（図４，図５の矢印Ｂ方向）と平行な方向をＹ方向とする。Ｘ，Ｙ方向に直交する方向をＺ方向とする。
【０００８】
光ピックアップ１は、支持ワイヤ９ａ〜９ｄと、支持ワイヤ９ａ〜９ｄを支持する固定部材１０とを備えている。支持ワイヤ９ａ〜９ｄは、レンズ支持体２およびコイル支持体３を移動可能に支持しており、導電性の材料により構成されている。
レンズ支持体２には第１の係合部１１が形成されている。コイル支持体３には第２の係合部１２が形成されている。第１の係合部１１に第２の係合部１２を係合させることにより、レンズ支持体２に対してコイル支持体３を所定位置に位置決めすることができるようになっている。
【０００９】
固定部材１０は、光ディスク装置のケースまたはベース部材（図示せず）などに固定されており、ブロック状，板状など所定の形状に形成されている。支持ワイヤ９ａ〜９ｄは、光ピックアップ１の両側にそれぞれ２本ずつ合計４本設けられている。支持ワイヤ９ａ〜９ｄは、一端部１３が固定部材１０側に固定され、他端部１４がレンズ支持体２側に固定されている。
支持ワイヤ９ａ〜９ｄの一端部１３は、固定部材１０に設けられたプリント配線板（図示せず）に電気的に接続されている。支持ワイヤの他端部１４は、レンズ支持体２に取付けられた他のプリント配線板（図示せず）に電気的に接続されている。これにより、支持ワイヤ９ａ〜９ｄは、フォーカスコイル７とトラッキングコイル８にそれぞれ電気的に接続されて制御電流を供給する。なお、支持ワイヤ９ａ〜９ｄの他端部１４を、レンズ支持体２側ではなくコイル支持体３に取付けて、フォーカスコイル７およびトラッキングコイル８に電気的に接続する場合であってもよい。
レンズ支持体２およびコイル支持体３は、支持ワイヤ９ａ〜９ｄで固定部材１０に支持されるのみで他の部材では支持されておらず、宙に浮いた状態で移動できるようになっている。
【００１０】
光ピックアップ１は光学系１５を有している。光学系１５は、レーザー光Ｌを発生する半導体レーザーなど光源１６と、光検出器１７と、図示しない反射ミラー，レンズ，回折格子等とを有している。対物レンズ６も光学系１５に含まれる。光検出器１７は、光ディスク４で反射したレーザー光Ｌを受光し、フォーカスエラー信号，トラッキングエラー信号，再生信号を検出する。
【００１１】
図１ないし図５に示すように、レンズ支持体２は、対物レンズ６が取付けられるレンズ支持部２５と、第１の係合部１１が形成された一対の可撓性の脚部２６とを有している。
レンズ支持部２５の内周面２７は、対物レンズ６を保持するために断面円形に形成されている。レンズ支持部２５の中心軸線が対物レンズ６の光軸Ｄと一致するように、対物レンズ６はレンズ支持部２５に取付けられている。
一対の脚部２６は、レンズ支持部２５から二また状に分岐して一体的に形成されている。二つの脚部２６は、光軸Ｄと直交する面内でほぼ平行にＹ方向に突出している。レンズ支持体２の第１の係合部１１は、当接部３０と凹溝３２と切欠き部３５とで構成されている。
一対の当接部３０は、脚部２６の根元部２９に、脚部２６の相対向する内側面２８に対向して形成されている。凹溝３２は、当接部３０と脚部２６の先端部３３との間の上面に配設されている。切欠き部３５は、凹溝３２とは反対側の脚部下面３６に形成されている。
一対の凹溝３２は、脚部２６の長手方向（矢印Ｂ方向とほぼ平行な方向（Ｙ方向））に延びている。凹溝３２を形成することにより、脚部２６の先端部３３側に段部３１が形成されている。凹溝３２は、脚部２６の内側面２８に開口し、かつ、脚部２６の長手方向に直交する一方向（図２の上方向）すなわち脚部上面にも開口して、断面Ｌ字状をなしている。一対の切欠き部３５は、脚部２６の下面３６にＬ字状に形成されている。凹溝３２の底面３２ａと切欠き部３５との間の寸法は、所定の寸法Ｔ２になっている。
【００１２】
コイル支持体３は全体が一体的に形成されている。コイル支持体３は、フォーカスコイル７を巻回するための一つのフォーカスコイル用ボビン（フォーカスコイル巻回用巻枠）４０と、トラッキングコイル８を巻回するための一つまたは複数（本実施形態では、二つ）のトラッキングコイル用ボビン（トラッキングコイル巻回用巻枠）４１とを有している。
フォーカスコイル用ボビン４０は、フォーカスコイル７を巻回した筒状の巻回部４４と、巻回部４４の両端に設けられた平行な二つの鍔（ここでは、上鍔４２と下鍔４３）とで構成されている。上鍔（一方の鍔）４２と下鍔（他方の鍔）４３の外周縁には、第２の係合部１２が形成されている。
コイル支持体３に設けられた第２の係合部１２を、レンズ支持体２の脚部２６に設けられた第１の係合部１１に係合させることにより、コイル支持体３を脚部２６に挟着させることができる。
【００１３】
二つのトラッキングコイル用ボビン４１は、フォーカスコイル用ボビン４０の対物レンズ６側の側面４５に、平行に並んで配置されている。トラッキングコイル８は、トラッキングコイル用ボビン４１に、フォーカスコイル７と直交する方向に巻回されている。
なお、一方のトラッキングコイル用ボビン４１のみを、上述のようにフォーカスコイル用ボビン４０の側面４５に形成し、他方のトラッキングコイル用ボビン４１を、側面４５とは反対側に位置する側面４６に形成してもよい。
【００１４】
コイル支持体３の第２の係合部１２は、二つの鍔４２，４３の外周縁の一部５０，第１の係止部５７，第２の係止部５１および第３の係止部５２により構成されている。
上鍔４２および下鍔４３の外周縁は、レンズ支持体２の当接部３０に当接して係止されるようになっている。本実施形態では、側面４５側に位置する一対の角部５３の近傍位置が、外周縁の一部５０に相当している。
一対の第１の係止部５７は、フォーカスコイル用ボビン４０の上鍔４２の対向する外周縁に、突出して形成されており、第１の係止部５７の外周縁は弧状（たとえば、円弧状）をなしている。また、第１の係止部５７は、上鍔４２の両方の側面５５にそれぞれ一体的に形成されており、角部５３と第２の係止部５１との間に位置し、凹溝３２に係合して摺接可能になっている。なお、第１の係止部５７は斜面を有している場合であってもよい。
一対の第２の係止部５１は、フォーカスコイル用ボビン４０の上鍔４２の外周縁の角部から外方に突出して一体形成されており、凹溝３２に係合して段部３１に係止されるようになっている。そのために、第２の係止部５１には斜面５１ａが形成されている。
上鍔４２に形成された相対する二つの側面５５は、脚部２６とほぼ平行である。第２の係止部５１は、両方の側面５５にそれぞれ形成されて一対をなしており、角部５３とは離れた別の一対の角部に形成されている。
一対の第３の係止部５２は、第２の係止部５１に対応する位置に、第２の係止部５１と平行に配置されている。第３の係止部５２は、下鍔４３の外周縁から突出して形成されている。そして、第３の係止部５２と第２の係止部５１との間に、脚部２６が嵌合して挟持されるようになっている。そのために、第３の係止部５２と第２の係止部５１との間の寸法Ｔ１は、脚部２６の寸法Ｔ２とほぼ同じかまたは若干大きくなっている。
なお、第３の係止部５２は、下鍔４３の側面５６から突出して形成されていてもよい。
【００１５】
コイル支持体３を、矢印Ｂに示すようにレンズ支持体２に装着する際には、二つの鍔４２，４３の外周縁の一部５０を、第１の係合部１１の当接部３０に当接させ、第１および第２の係止部５７，５１を、第１の係合部１１の凹溝３２に嵌入させる。そして、第３の係止部５２を第１の係合部１１の切欠き部３５に係止させる。
このとき、一対の第１の係止部５７は、一対の脚部２６の内側面２８にスムーズに接触しながら、矢印Ｅに示すように脚部２６を押し広げた後、凹溝３２に係合して摺接する。第１の係止部５７を凹溝３２に摺接させれば、必然的に、第２の係止部５１と第３の係止部５２との間に、脚部２６が嵌合して挟持されることになる。
【００１６】
こうして、コイル支持体３は、一対の脚部２６に挟持され、かつ第１，第２の係止部５７，５１も凹溝３２に係合するので、Ｚ方向に位置決めされることになる。また、上鍔４２の側面５５の一部と下鍔４３の側面５６も、脚部２６の内側面２８に当接可能になっている。したがって、コイル支持体３は、レンズ支持体２に対してＺ方向に関して精度良く位置決めされる。
上鍔４２および下鍔４３の外周縁の一部５０が当接部３０に当接し、第２の係止部５１が凹溝３２に嵌入して段部３１に係合する。これにより、コイル支持体３は、レンズ支持体２に対してＹ方向に関して精度良く位置決めされる。
さらに、第１の係止部５７が凹溝３２に嵌入し、第２の係止部５１と第３の係止部５２との間に、脚部２６が嵌合して挟持される。これにより、コイル支持体３は、レンズ支持体２に対してＸ方向に関して精度良く位置決めされる。
したがって、コイル支持体３を、容易にかつ精度良くレンズ支持体２に装着することができる。その結果、フォーカスコイル７とトラッキングコイル８は、Ｘ，Ｙ，Ｚ方向に関して高精度に位置決めされる。
【００１７】
光ピックアップ１を組み立てる際には、レンズ支持体２のレンズ支持部２５には対物レンズ６を予め取付けておく。このとき、レンズ支持体２にはコイル部分がないので、このコイル部分を傷つけることなく対物レンズ６を容易に取付けることができる。
一方、コイル支持体３において、フォーカスコイル７とトラッキングコイル８を、フォーカスコイル用ボビン４０とトラッキングコイル用ボビン４１にそれぞれ予め巻回しておく。この巻回作業は、周囲のスペースの制約がないので容易に行うことができる。
こうして、フォーカスコイル７とトラッキングコイル８を支持するコイル支持体３を、矢印Ｂに示すようにレンズ支持体２に装着する。すると、レンズ支持体２の脚部２６は、矢印Ｅに示すように、その弾性力に抗して弾性変形する。
そして、コイル支持体３の第２の係合部１２が、レンズ支持体２の第１の係合部１１に係合する。その結果、コイル支持体３をレンズ支持体２に精度良く位置決め固定することができる。その後、フォーカスコイル７とトラッキングコイル８を、支持ワイヤ９ａ〜９ｄに電気的に接続する。
【００１８】
上述のように、コイル支持体３をレンズ支持体２に装着するときには、コイル支持体３は、第１の係止部５７および凹溝３２に案内されてレンズ支持体２に対して相対的にＢ方向に移動する。このとき、一対の脚部２６は、その弾性力に抗して押し広げられたのち弾性力によりほぼ元の形状に戻る。
その後、第２の係止部５１の斜面５１ａが、一対の脚部２６にスムーズに接触してこれを矢印Ｅに示すように押し広げる。その後、第２の係止部５１が凹溝３２に入って段部３１に係合するとともに、外周縁の一部５０が当接部３０に当接する。このとき、同時に第３の係止部５２が、第１の係合部１１の切欠き部３５に係止される。
これにより、一対の脚部２６は、ほぼ元の平行な形状に戻って、その弾性力によりコイル支持体３に圧接して挟持する。第２の係止部５１と第３の係止部５２は抜け止めの機能を発揮する。したがって、コイル支持体３がレンズ支持体２から脱落する恐れはない。
第１の係止部５７が凹溝３２に案内されることによって、コイル支持体３をレンズ支持体２に容易にかつスムーズに装着させることができる。また、コイル支持体３は、レンズ支持体２に対して精度良く位置決めされる。
本実施形態では、第１の係止部５７と第２の係止部５１が、別体で形成されている。なお、第２の係合部１２を構成する第１，第２の係止部が、フォーカスコイル用ボビン４０の上鍔４２の外周縁の所定位置から角部までの間に一体的に繋がって突出して形成された場合であってもよい。
また、本実施形態とは逆に、当接部，第１，第２，第３の係止部などを第１の係合部としてレンズ支持体に設け、外周縁の一部，凹溝，切欠き部などを第２の係合部としてコイル支持体に設けてもよい。
【００１９】
次に、光ピックアップ１の動作について図１ないし図５を参照して説明する。まず、光ディスク装置において、光ディスク４は駆動モータ（図示せず）により回転駆動されている。この状態で、移動機構（図示せず）で所望の位置に光ピックアップ１を移動する。そして、光学系１５で発生したレーザー光Ｌを対物レンズ６で記録面５上に集光させて、光ディスク４に対して情報の記録，再生などを行うことになる。
対物レンズ６を、フォーカス方向（その光軸Ｄと平行な方向（Ｘ方向））に移動させる場合には、移動させる方向および移動量に応じた制御電流をフォーカスコイル７に供給する。すると、フォーカスコイル７により生じる電磁力により、光ピックアップ１がフォーカス方向に移動して、対物レンズ６の位置が微調整される。
同様に、トラッキングコイル８に制御電流を供給する。すると、光ピックアップ１が光ディスク４のトラック方向に移動して、対物レンズ６の位置を微調整することができる。
【００２０】
上述のように、本発明の光ピックアップ１では、レンズ支持体２の第１の係合部１１にコイル支持体３の第２の係合部１２を係合させる。これにより、レンズ支持体２に対して、コイル支持体３を所定位置に位置決めするようにしている。したがって、コイル支持体３を、手作業によりワンタッチで容易にレンズ支持体２に装着することができる。コイル支持体３をレンズ支持体２に接着剤等で固定する作業は不要である。その結果、光ピックアップ１の組立作業を容易に行うことができる。
コイル支持体３をレンズ支持体２に装着した後は、レンズ支持体２の弾性により、一対の脚部２６の間にコイル支持体３がしっかりと挟持されることになる。第２の係合部１２が第１の係合部１１に係合しているので、フォーカスコイル７とトラッキングコイル８を、所定位置に高精度に位置決めすることができ、位置ずれを起こす恐れもない。したがって、光ピックアップ１の特性を安定化させることができる。
コイル支持体３をレンズ支持体２に装着した後、フォーカスコイル７およびトラッキングコイル８と、支持ワイヤ９ａ〜９ｄとを、プリント配線板を介してそれぞれ電気的に接続する。このとき、接続部周囲のスペースの制約がないので、接続のための半田付け作業を容易に行うことができる。
【００２１】
光ピックアップ１では、フォーカスコイル７およびトラッキングコイル８を支持するためのコイル支持体３と、対物レンズ６を取付けるためのレンズ支持体２とを、分離して別々の部品にしている。
このようにしたので、コイル支持体３に巻回されるフォーカスコイル７とトラッキングコイル８の巻回数，種類などを自在に変えることができる。一方、レンズ支持体２に取付けられる対物レンズ６の種類も自在に変えることができる。
したがって、所望の巻線数で巻回されたフォーカスコイル７およびトラッキングコイル８を有するコイル支持体３と、所望の対物レンズ６が取付けられたレンズ支持体２とを任意に組合せることができる。これにより、いろいろな種類の光ピックアップ１を自在に構成することができる。
【００２２】
第１の係合部１１と第２の係合部１２は、係合可能なように所定形状に形成されている。しかも、コイル支持体３は、１８０度回転させたり裏返したりするとレンズ支持体２に装着することができなくなるような構成になっている。
その結果、コイル支持体３を、取付け方向を間違うことなくレンズ支持体２に正確に装着することができる。よって、光ピックアップ１の組立作業時のミスを防止することができる。
なお、各図中同一符号は同一または相当部分を示す。
【００２３】
【発明の効果】
本発明は上述のように構成したので、フォーカスコイルとトラッキングコイルをＸ，Ｙ，Ｚ方向に関して高精度に位置決めすることができることになり、光ピックアップの特性を安定化させることができ、また、第１の係合部と第２の係合部が、係合可能なように所定形状に形成されているので、コイル支持体は１８０度回転させたり裏返したりするとレンズ支持体に装着することができなくなるような構成になっており、その結果、コイル支持体を取付け方向を間違うことなくレンズ支持体に正確に装着することができることになり、光ピックアップの組立作業時のミスを防止することができる。
【図面の簡単な説明】
【図１】図１ないし図５は本発明の実施形態の一例を示す図で、図１は光ピックアップの平面図である。
【図２】図１に示す光ピックアップの左側面図である。
【図３】前記光ピックアップにおけるレンズ支持体とコイル支持体の構成を示す斜視図である。
【図４】前記レンズ支持体とコイル支持体の構成を示す平面図である。
【図５】図４のＶ−Ｖ線断面図である。
【符号の説明】
１      光ピックアップ
２      レンズ支持体
３      コイル支持体
４      光ディスク
５      記録面
６      対物レンズ
７      フォーカスコイル
８      トラッキングコイル
９ａ〜９ｄ    支持ワイヤ
１０    固定部材
１１    第１の係合部
１２    第２の係合部
２５    レンズ支持部
２６    脚部
２８    内側面
２９    根元部
３０    当接部
３１    段部
３２    凹溝
３３    先端部
３５    切欠き部
３６    脚部の下面
４０    フォーカスコイル用ボビン
４１    トラッキングコイル用ボビン
４２    上鍔（一方の鍔）
４３    下鍔（他方の鍔）
５０    外周縁の一部
５１    第２の係止部
５２    第３の係止部
５５    上鍔の側面
５６    下鍔の側面
５７    第１の係止部
Ｄ      光軸
Ｌ      レーザー光（光）
【図１】
0003559813.tif 000002
【図２】
0003559813.tif 000003
【図３】
0003559813.tif 000004
【図４】
0003559813.tif 000005
【図５】
0003559813.tif 000006